(57)【要約】【課題】部品点数を削減して溝開口部に対してより簡便に取付固定することが可能な溝蓋を提供する。【解決手段】枠体部１１と主部材１２と主部材１２と交差する補強部材１３を有する蓋本体部１０に蓋本体部１０が設置される溝開口部Ｄ１に対し蓋本体部１０を取付固定する取付固定部２０が設けられた溝蓋１であって、取付固定部２０はねじ溝部２３が刻設された取付座部２１を一体に備え、取付座部２１に先端に溝開口部内壁面Ｄ２に首振り可能に圧接する圧接頭部４０を備えた圧締部材３０が進退可能に螺着されている。【選択図】図１
2018028237.tif 000002
【特許請求の範囲】
【請求項１】
枠体部と主部材と前記主部材と交差する補強部材を有する蓋本体部に前記蓋本体部が設置される溝開口部に対し前記蓋本体部を取付固定する取付固定部が設けられた溝蓋であって、
前記取付固定部はねじ溝部が刻設された取付座部を一体に備え、前記取付座部に先端に溝開口部内壁面に首振り可能に圧接する圧接頭部を備えた圧締部材が進退可能に螺着されていることを特徴とする溝蓋。
【請求項２】
前記取付固定部が前記蓋本体部の溝開口部内壁面側の切欠き部に設けられた請求項１に記載の溝蓋。
【請求項３】
前記取付固定部の上方に開放空間を有する請求項１または２に記載の溝蓋。
【請求項４】
前記開放空間にキャップ部材が着脱自在に配置されている請求項３に記載の溝蓋。
【請求項５】
前記圧締部材に緩み止めナットが螺着された請求項１ないし４のいずれか１項に記載の溝蓋。
【請求項６】
前記枠体部の溝開口部内壁面側の外縁部にフランジ部を有する請求項１ないし５のいずれか１項に記載の溝蓋。
【発明の詳細な説明】
【技術分野】
【０００１】
本発明は、側溝等の排水溝の溝開口部に取付固定される溝蓋に関する。
【背景技術】
【０００２】
側溝や横断溝等の排水溝の溝開口部には、溝部内部への落ち葉やゴミ等の異物の進入を抑制するために、グレーチングと称される金属製の溝蓋が配設される。この種の溝蓋では、紛失、盗難、跳ね上がり等を防止するために、溝開口部に対して取付固定される。
【０００３】
例えば、従来の溝蓋の取付固定構造は、アンカー部材等により溝開口部に一体に固設された受け枠に溝蓋が載置されて固定される。しかしながら、受け枠を溝開口に一体に固定するには、施工時に煩雑な工程が必要で作業効率の面で不利であった。
【０００４】
そこで、本発明者は、先に、受け枠の下部に首振り部を介して傾斜自在な圧接部を有する圧締部を形成した受け枠を提案した（例えば、特許文献１参照）。この受け枠は、圧締部を溝壁部へ圧接させることによって簡便に溝開口部に固定が可能である。そのため溝蓋は、溝開口部に対して効率よく取付固定することが可能となる。
【０００５】
この種の溝蓋にあっては、施工現場での更なる作業性の向上が求められる。そこで、本発明者は、部品点数の削減を図って取付構造を簡素化し、溝開口部に対してより簡便に取付固定することが可能な溝蓋を発明するに至った。
【先行技術文献】
【特許文献】
【０００６】
【特許文献１】実登第３１９５７２０号公報
【発明の概要】
【発明が解決しようとする課題】
【０００７】
本発明は、前記の点に鑑みなされたものであり、部品点数を削減して溝開口部に対してより簡便に取付固定することが可能な溝蓋を提供する。
【課題を解決するための手段】
【０００８】
すなわち、請求項１の発明は、枠体部と主部材と前記主部材と交差する補強部材を有する蓋本体部に前記蓋本体部が設置される溝開口部に対し前記蓋本体部を取付固定する取付固定部が設けられた溝蓋であって、前記取付固定部はねじ溝部が刻設された取付座部を一体に備え、前記取付座部に先端に溝開口部内壁面に首振り可能に圧接する圧接頭部を備えた圧締部材が進退可能に螺着されていることを特徴とする溝蓋に係る。
【０００９】
請求項２の発明は、前記取付固定部が前記蓋本体部の溝開口部内壁面側の切欠き部に設けられた請求項１に記載の溝蓋に係る。
【００１０】
請求項３の発明は、前記取付固定部の上方に開放空間を有する請求項１または２に記載の溝蓋に係る。
【００１１】
請求項４の発明は、前記開放空間にキャップ部材が着脱自在に配置されている請求項３に記載の溝蓋に係る。
【００１２】
請求項５の発明は、前記圧締部材に緩み止めナットが螺着された請求項１ないし４のいずれか１項に記載の溝蓋に係る。
【００１３】
請求項６の発明は、前記枠体部の溝開口部内壁面側の外縁部にフランジ部を有する請求項１ないし５のいずれか１項に記載の溝蓋に係る。
【発明の効果】
【００１４】
請求項１の発明に係る溝蓋によると、枠体部と主部材と前記主部材と交差する補強部材を有する蓋本体部に前記蓋本体部が設置される溝開口部に対し前記蓋本体部を取付固定する取付固定部が設けられた溝蓋であって、前記取付固定部はねじ溝部が刻設された取付座部を一体に備え、前記取付座部に先端に溝開口部内壁面に首振り可能に圧接する圧接頭部を備えた圧締部材が進退可能に螺着されているため、部品点数が削減されてコストを低減することができるとともに、取付作業の効率が格段に向上される。また、溝開口部内壁面の傾斜等に対応して圧接頭部を適切に圧接させることができるため、強固な固定が可能となる。
【００１５】
請求項２の発明に係る溝蓋によると、請求項１の発明において、前記取付固定部が前記蓋本体部の溝開口部内壁面側の切欠き部に設けられたため、取付固定部の不要な突出が抑制されて、蓋本体部と溝開口部内壁面との隙間へのゴミの侵入等を抑制することができるとともに、水路内のゴミ等が詰まりにくくなって排水の妨げとならない。
【００１６】
請求項３の発明に係る溝蓋によると、請求項１または２の発明において、前記取付固定部の上方に開放空間を有するため、障害物に妨げられることなく上方から取付固定部への作業を簡便かつ効率的に行うことが可能となる。
【００１７】
請求項４の発明に係る溝蓋によると、請求項３の発明において、前記開放空間にキャップ部材が着脱自在に配置されているため、不要な隙間の形成を抑制することができる。
【００１８】
請求項５の発明に係る溝蓋によると、請求項１ないし４のいずれかの発明において、前記圧締部材に緩み止めナットが螺着されたため、圧締部材の取付座部への固定を簡便に行うことが可能となる。
【００１９】
請求項６の発明に係る溝蓋によると、請求項１ないし５のいずれかの発明において、前記枠体部の溝開口部内壁面側の外縁部にフランジ部を有するため、溝蓋の設置場所が排水溝の内部形状に左右されないとともに、溝蓋の側部と溝開口部内壁面との隙間へのゴミの侵入等を抑制することができる。
【図面の簡単な説明】
【００２０】
【図１】本発明の一実施形態に係る溝蓋の斜視図である。
【図２】図１の溝蓋の平面図である。
【図３】図１の溝蓋の要部断面図である。
【図４】取付固定部の要部断面図である。
【図５】取付固定部近傍の斜視図及び平面図である。
【図６】ねじ止め機構を有するキャップ部材が配置された取付固定部近傍の斜視図及び断面図である。
【図７】クリップ機構を有するキャップ部材が配置された取付固定部近傍の斜視図及び断面図である。
【図８】他の実施形態に係る溝蓋の平面図である。
【図９】図８の溝蓋の要部断面図である。
【発明を実施するための形態】
【００２１】
図１〜図３は、側溝や横断溝等の排水溝Ｄの溝開口部Ｄ１に取付固定される溝蓋１であって、蓋本体部１０と、取付固定部２０とを備える。この溝蓋１が設置される排水溝Ｄは、コンクリート製のブロック体からなり、図３に示すように、溝開口部Ｄ１を構成する溝開口部内壁面Ｄ２と、溝開口部Ｄ１の両側の下部に段状に形成されて溝蓋１を載置可能とする溝段部Ｄ３と、溝段部Ｄ３と連接されて水路を構成する水路内壁面Ｄ５とを有する。なお、図３において、符号Ｄ２ａは一側の溝開口部内壁面、Ｄ２ｂは一側の溝開口部内壁面Ｄ２ａと対向する他側の溝開口部内壁面を表す。
【００２２】
蓋本体部１０は、排水溝Ｄ内への落ち葉やゴミ等の侵入を抑制するための金属製の蓋体である。この蓋本体部１０は、図１〜図３に示すように、枠体部１１と、主部材１２と、補強部材１３とを有する。実施形態において、枠体部１１は、溝開口部内壁面Ｄ２に近接する側板１１ａ，１１ａと、各側板１１ａ，１１ａの両端に架設される端板１１ｂ，１１ｂとで構成される。
【００２３】
主部材１２は、蓋本体部１０の強度を保持する部材であって、図１，２に示すように、枠体部１１を構成する各側板１１ａ，１１ａ間に複数本並設される。並設された複数本の主部材１２のうち両端の２本の主部材１２ａ，１２ａは、枠体部１１を構成する端板１１ｂ，１１ｂを兼ねてもよい。主部材１２は、断面形状が矩形状、逆台形形状、Ｔ字形状、Ｉ字形状、Ｙ字形状等の様々な形状で構成される。また、必要に応じて、主部材１２の上面には滑り止めのための凹凸面等のノンスリップ加工面が形成される。
【００２４】
補強部材１３は、図１〜図３に示すように、主部材１２と交差して格子状に固定することにより、主部材１２を補強する部材である。この補強部材１３は、主部材１２に対して直交するように複数本並設される。補強部材１３には、主部材１２の上面に溶接されるツイストバーや、主部材１２を貫通するクロスパイプ等が適宜に用いられる。
【００２５】
取付固定部２０は、蓋本体部１０が設置される溝開口部Ｄ１に対し蓋本体部１０を取付固定する部材である。図１〜図３に示すように、取付固定部２０は、蓋本体部１０の側部に配置され、取付座部２１を一体に備え、該取付座部２１に圧締部材３０が進退可能に螺着されていて、圧締部材３０を溝開口部内壁面Ｄ２に対して圧接させることによって、蓋本体部１０を固定する。
【００２６】
取付座部２１は、図４に示すように、板状の部材であって、ねじ溝部２３が刻設された取付孔２２を有する。この取付座部２１は、後述する圧締部材３０を取り付けるための部材であって、蓋本体部１０の側面や、蓋本体部１０の内側に形成される。蓋本体部の側面に取付座部が形成される場合、例えば、枠体部を構成する側板に取付孔が設けられ、この側板が取付座部を兼ねる。
【００２７】
また、蓋本体部１０の内側に取付座部２１が形成される場合、図１〜図３に図示の実施形態のように、蓋本体部１０の溝開口部内壁面Ｄ２側の切欠き部１５に設けられる。切欠き部１５は、蓋本体部１０の枠体部１１の一部を取り除いて（切断して）蓋本体部１０の内側へ形成された空間部分に相当し、例えば、２本の主部材１２，１２間と、一部を取り除いて形成された枠体部１１の枠開放部１５ａとで構成される。従って、切欠き部１５に設けられる取付座部２１は、枠開放部１５ａより蓋本体部１０の内側に位置する２本の主部材１２，１２間に架設される。この取付座部２１では、主部材１２，１２間に架設されることにより、蓋本体部１０に対する振動等を吸収するダンパーとして作用するため、取り付けられた圧締部材３０に対する振動等の伝達を抑制することができる。
【００２８】
圧締部材３０は、図４に示すように、ボルト部３１と、緩み止めナット３５と、圧接頭部４０と、圧締ナット４５とを備える。ボルト部３１は、取付座部２１のねじ溝部２３と螺合するねじ部３３が形成された軸部３２と、軸部３２の先端に形成されたねじ頭部３４とを有し、取付座部２１に進退可能に螺着される。ボルト部３１の後端には、当該ボルト部３１を指で回転させやすくするために多角柱状（例えば六角柱状）のつまみ部３２ａが形成されている。緩み止めナット３５は、ボルト部３１の軸部３２に螺着されて、ボルト部３１を取付座部２１に固定する部材である。この緩み止めナット３５では、取付座部２１に取り付けられたボルト部３１に螺着されて、取付座部２１側へ締め付けられることによって、ボルト部３１の緩みをなくして圧締部材３０の取付座部２１への固定を簡便に行うことが可能となる。
【００２９】
圧接頭部４０は、図４に示すように、ボルト部３１の先端に形成され、溝開口部内壁面Ｄ２に対して首振り可能に圧接される部位である。圧接頭部４０は、椀形状の圧接本体４１と、圧接本体４１の開口縁部に相当し溝開口部内壁面Ｄ２に圧接される圧接面４２と、圧接本体４１にボルト部３１の軸部３２の直径よりも大径かつボルト部３１のねじ頭部３４の直径よりも小径に形成された貫通孔４３とを有する。この圧接頭部４０にあっては、圧接本体４１の貫通孔４３にボルト部３１の軸部３２が挿通されるとともに、ボルト部３１のねじ頭部３４が圧接本体４１の内部側に配置されるため、ボルト部３１の先端（ねじ頭部３４側）に遊嵌状態で取り付けられる。これにより、圧接頭部４０は揺動（首振り）自在となる。
【００３０】
圧締ナット４５は、ボルト部３１の先端に取り付けられた圧接頭部４０の近傍のボルト部３１の軸部３２に螺着され、圧接頭部４０を溝開口部内壁面Ｄ２側へ押圧する部材である。この圧締ナット４５では、ボルト部３１に揺動自在に取り付けられた圧接頭部４０を溝開口部内壁面Ｄ２に対して当接させた際に、締め付けを行うことによって圧接頭部４０を溝開口部内壁面Ｄ２側へ押圧して溝開口部内壁面Ｄ２へ圧接させる。
【００３１】
上記取付固定部２０は、蓋本体部１０の側部に１または複数個形成される。取付固定部２０の設置箇所は、蓋本体部１０の一側の側部、両側の側部、全周の側部等、当該溝蓋１の施工場所に応じて適宜である。例えば、蓋本体部１０の一側の側部のみに取付固定部２０を形成する場合（図示省略）、蓋本体部１０の他側の側部を他側の溝開口部内壁面Ｄ２ｂに対して当接させるとともに、一側の溝開口部内壁面Ｄ２ａに圧締部材３０を圧接させる。これにより、両側の溝開口部内壁面Ｄ２ａ，Ｄ２ｂ間に圧締部材３０と蓋本体部１０の他側の側部とで突っ張った状態が形成されて、当該溝蓋１が固定される。なお、蓋本体部１０の一側の側部のみに取付固定部２０を形成する場合は、取付固定部２０の数は１または複数個のいずれでも構わない。
【００３２】
また、蓋本体部１０の両側の側部に取付固定部２０を形成する場合、図３に示すように、蓋本体部１０の一側の圧締部材３０Ａを一側の溝開口部内壁面Ｄ２ａに圧接させるとともに、他側の圧締部材３０Ｂを他側の溝開口部内壁面Ｄ２ｂに圧接させる。これにより、両側の圧締部材３０Ａ，３０Ｂで両側の溝開口部内壁面Ｄ２ａ，Ｄ２ｂ間に突っ張り状態が形成されて、当該溝蓋１が固定される。蓋本体部１０の両側の側部に取付固定部２０を形成する場合は、一側と他側で取付固定部２０を対向配置することが好ましい。特に、両側に２個ずつ計４個の取付固定部２０を形成すれば、取付固定の安定性、作業効率、コスト等において有利である。
【００３３】
なお、図示は省略するが、蓋本体部１０の全周の側部に取付固定部２０を形成する場合には、四方の側部にそれぞれ圧締部材が設けられる。このような溝蓋は、例えば四方に溝開口部内壁面を有する桝開口部等へ設置する場合に適している。蓋本体部１０の各側部に形成される取付固定部２０は、取付固定の安定性、作業効率、コスト等の観点から、２個ずつの取付固定部２０をそれぞれ対向配置することが好ましい。
【００３４】
取付固定部２０においては、図１〜図３に示すように、蓋本体部１０の切欠き部１５に取付座部２１が設けられることにより、圧締部材３０が蓋本体部１０の内側に配置される。そのため、取付固定部２０は、蓋本体部１０の側部や下部から必要以上に突出することが抑制される。この取付固定部２０では、蓋本体部１０の側部からの突出が抑制されることにより、溝蓋１の取付固定時に、蓋本体部１０の側部と溝開口部内壁面Ｄ２との隙間を少なくすることができ、ゴミの侵入等を抑制することができる。また、蓋本体部１０の下部からの突出が抑制されることにより、排水溝Ｄ内の水路の障害とならず、水路内のゴミ等が詰まりにくくなって排水の妨げとならない。
【００３５】
また、図１〜図５に示すように、取付固定部２０の上方には、開放空間Ｓが設けられている。開放空間Ｓは、取付固定部２０の上方において、枠体部１１，主部材１２，補強部材１３のいずれも形成されていない空間に相当し、並設される複数の主部材１２や補強部材１３の間隔、取付固定部２０の大きさ等に応じて適宜の範囲で形成される。例えば、複数の主部材１２や補強部材１３の間隔が広い場合や、取付固定部２０が小さい場合には、切欠き部１５内における補強部材１３が配設されていない２本の主部材１２，１２間の隙間が開放空間Ｓに相当する。一方、図１，２，５に示す実施形態のように複数の主部材１２や補強部材１３の間隔が狭い場合や、取付固定部２０が大きい場合には、切欠き部１５内において主部材１２や補強部材１３の一部を取り除いて（切断して）形成された隙間が開放空間Ｓに相当する。主部材１２の一部を取り除いた場合には、その端部に支持板２５が設けられる。
【００３６】
開放空間Ｓにより取付固定部２０の上方には障害物がない。そのため、レンチやスパナ等の工具を用いて取付固定部２０の緩み止めナット３５や圧締ナット４５の締め付けまたは緩め作業を行う場合、障害物に妨げられることなく取付固定部２０の上方から簡便かつ効率的に作業を行うことが可能となる。
【００３７】
上記開放空間Ｓには、必要に応じて、図６に示すキャップ部材５０が着脱自在に配置される（図６（ａ）参照）。このキャップ部材５０は、開放空間Ｓを塞いで不要な隙間の形成を抑制する部材であって、キャップ本体５１と、キャップ取付部５５とを有する。キャップ本体５１は、開放空間Ｓとともにその下方に配置される取付固定部２０を被覆する板部材である。このキャップ本体５１は、図６（ｂ）に示すように、蓋本体部１０の上面１０ａと面一となるように配置される。そのため、上面１０ａ部分で凹凸が軽減され、歩行者のつまずき等の発生が抑制されて安全である。なお、キャップ本体５１を蓋本体部１０の上面１０ａと面一に配置する場合、取付固定部２０の取付座部２１及び圧接頭部４０は、キャップ本体５１が配置可能な程度に蓋本体部１０の上面１０ａより下方側に配置される。
【００３８】
キャップ取付部５５は、キャップ本体５１を開放空間Ｓにおいて着脱自在に固定する部材である。図６に図示の例では、ねじ止め機構５５Ａが用いられている。このねじ止め機構５５Ａは、主部材１２に設けられたねじ受部５６ａと、キャップ本体５１に形成されたねじ穴５２に相通されてねじ受部５６ａと螺着されるねじ部５７ａとを有する。ねじ受部５６ａは、主部材１２の他、取付座部２１や支持板２５等の適宜の位置に設けられる。このねじ止め機構５５Ａでは、キャップ本体５１を取付座部２１上方に配置させて、ねじ部５７ａをねじ受部５６ａに螺着させることによって、簡便にキャップ本体５１を取り付けることができる。
【００３９】
また、キャップ取付部５５は、上記ねじ止め機構５５Ａに替えて、図７に示すクリップ機構５５Ｂを用いてもよい。クリップ機構５５Ｂは、キャップ本体５１の下面側に一体にに設けられたクリップ部５６ｂと、キャップ本体５１の下面側後端に設けられた爪部５７ｂとを有する。このクリップ機構５５Ｂでは、支持板２５の上部側に形成された差込孔２６に爪部５７ｂを差し込んだ後、クリップ部５６ｂを取付座部２１の上端部に挟着させて、キャップ本体５１を固定させる。このクリップ機構５５Ｂは、工具等を用いることなく手作業のみでの取り付けが可能であるため、作業性に優れる。また、キャップ本体５１の取り外しに際しては、例えばキャップ本体５１の先端側に形成された引っ掛け部５３にマイナスドライバー等の適宜の工具を引っ掛け、キャップ本体５１を持ち上げてクリップ部５６ｂの挟着状態を解除させる。このようにクリップ機構５５Ｂでは、ワンタッチでのキャップ本体５１の着脱が可能である。なお、キャップ取付部５５は、ねじ止め機構５５Ａやクリップ機構５５Ｂに限らず、適宜の着脱機構を用いることができる。
【００４０】
ここで、当該溝蓋１の取付固定手順について説明する。まず、図３に示すように、排水溝Ｄの溝開口部Ｄ１に形成された溝段部Ｄ３に溝蓋１が載置される。次に、取付固定部２０において、圧締部材３０（ボルト部３１）を溝開口部内壁面Ｄ２側へ前進させて、圧接頭部４０が溝開口部内壁面Ｄ２へ近接または当接される。圧接頭部４０を溝開口部内壁面Ｄ２に近接または当接させた状態で緩み止めナット３５が締め付けられて、ボルト部３１が位置決め（固定）される。
【００４１】
続いて、圧締ナット４５が締め付けられて、圧接頭部４０が溝開口部内壁面Ｄ２に圧接される。この時、圧接頭部４０の圧接本体４１がボルト部３１に遊嵌されて首振り（揺動）自在であることから、溝開口部内壁面Ｄ２の傾斜等に対応して圧接本体４１が揺動（傾斜）され、溝開口部内壁面Ｄ２に対して適切に圧接される。
【００４２】
上記取付固定部２０の締め付け作業は、残り（図示の例では３箇所）の取付固定部２０，２０，２０においても順次行われる。なお、これら締め付け作業は、開放空間Ｓにより取付固定部２０の上方に障害物がないため、そのままレンチやスパナ等の工具により直接的に行うことが可能である。そのため、作業が簡便となり、効率性も向上する。
【００４３】
また、取付固定部２０の圧接後、図６に示すように、開放空間Ｓにキャップ部材５０が取り付けられる。キャップ部材５０の取り付けでは、キャップ本体５１が開放空間Ｓに配置され、ねじ止め機構５５Ａのねじ部５７によりねじ受部５６に固定される。
【００４４】
このように、本発明の溝蓋１は、蓋本体部１０に設けられた取付固定部２０を溝開口部内壁面Ｄ２（Ｄ２ａ，Ｄ２ｂ）に圧接させることによって固定可能であるため、従来のように排水溝に取付固定された受け枠を介して設置する必要がない。特に、取付固定部２０の緩み止めナット３５や圧締ナット４５等の締め付け作業のみで取付固定が可能であるため、部品点数が大幅に削減されてコストを低減することができるとともに、取付作業の効率が格段に向上される。
【００４５】
また、取付固定された溝蓋１は、蓋本体部１０の側方に設けられた取付固定部２０が対向する溝開口部内壁面Ｄ２ａ，Ｄ２ｂ間に突っ張り状態で圧接されるため、蓋本体部１０の外部への不要な突出が抑制されて、水路内の排水の妨げとならない。さらに、圧接頭部４０が首振り可能であるため、溝開口部内壁面Ｄ２の傾斜や設置時のゆがみ等に対応して溝開口部内壁面Ｄ２へ適切に圧接されて、強固に固定することができる。特に、圧締部材３０が取り付けられる取付座部２１が蓋本体部１０に対する振動等を吸収するダンパーとして作用することから、振動等による取付固定後の圧締部材３０の緩みの発生等を抑制することができる。
【００４６】
なお、点検や交換等をする場合、まずキャップ部材５０を外した後、取付固定部２０の緩み止めナット３５や圧締ナット４５等を緩めるだけで、当該溝蓋１を溝開口部Ｄ１から容易に取り外すことが可能である。
【００４７】
次に、図８，９に示す他の実施形態に係る溝蓋１Ａについて説明する。溝蓋１Ａは、枠体部１１の溝開口部内壁面Ｄ２側の外縁部にフランジ部１４，１４を有する。フランジ部１４，１４は、枠体部１１の対向する外縁部からそれぞれ外側へ延設された板状部であって、特に当該溝蓋１Ａを設置する排水溝Ｄ１０の溝開口部Ｄ１より外側へ延設される。そのため、図９（ｂ）に示すように、フランジ部１４，１４は、溝蓋１Ａの設置時に排水溝Ｄ１０の両側の開口縁部Ｄ６，Ｄ６上に載置される。
【００４８】
そこで、溝蓋１Ａでは、溝開口部内壁面Ｄ２が水路を構成する水路内壁面Ｄ５となって溝開口部Ｄ１内に段部が形成されない形状の排水溝Ｄ１０に対しても取付固定が可能となる。そのため、溝蓋１Ａの設置場所が排水溝の内部形状に左右されない。また、フランジ部１４，１４は枠体部１１の外縁部から延設されているため、設置時に溝蓋１Ａの側部と溝開口部内壁面Ｄ２との間に形成される隙間を被覆することができ、ゴミの侵入等を抑制することができる。
【産業上の利用可能性】
【００４９】
以上のとおり、本発明の溝蓋は、取付固定部の締め付けを行うだけで受け枠を介在させることなく溝開口部に直接取付固定することが可能となる。そのため、側溝等の排水溝への溝蓋の設置作業を極めて効率的に実施することができ、施工現場での作業が大幅に軽減されることが期待できる。
【符号の説明】
【００５０】
１，１Ａ      溝蓋
１０    蓋本体部
１０ａ  蓋本体部の上面
１１    枠体部
１１ａ  側板
１１ｂ  端板
１２，１２ａ    主部材
１３    補強部材
１４    フランジ部
１５    切欠き部
１５ａ  枠開放部
２０    取付固定部
２１    取付座部
２２    取付孔
２３    ねじ溝部
２５    支持板
２６    差込孔
３０，３０Ａ，３０Ｂ    圧締部材
３１    ボルト部
３２    軸部
３２ａ  つまみ部
３３    ねじ部
３４    ねじ頭部
３５    緩み止めナット
４０    圧接頭部
４１    圧接本体
４２    圧接面
４３    貫通孔
４５    圧締ナット
５０    キャップ部材
５１    キャップ本体
５２    ねじ穴
５３    引っ掛け部
５５    キャップ取付部
５５Ａ  ねじ止め機構
５５Ｂ  クリップ機構
５６ａ  ねじ受部
５６ｂ  クリップ部
５７ａ  ねじ部
５７ｂ  爪部
Ｄ，Ｄ１０      排水溝
Ｄ１    溝開口部
Ｄ２，Ｄ２ａ，Ｄ２ｂ    溝開口部内壁面
Ｄ３    溝段部
Ｄ５    水路内壁面
Ｄ６    開口縁部
Ｓ      開放空間
【図１】
2018028237.tif 000003
【図２】
2018028237.tif 000004
【図３】
2018028237.tif 000005
【図４】
2018028237.tif 000006
【図５】
2018028237.tif 000007
【図６】
2018028237.tif 000008
【図７】
2018028237.tif 000009
【図８】
2018028237.tif 000010
【図９】
2018028237.tif 000011